(57)【要約】【課題】パーマネント施術によるカールＫのかかり具合若しくはかけ具合すなわち、かかり強度を計測し、数字で客観的に表示することのできるカール計測用テスター１０を提供すること。【解決手段】毛髪の長さＬを入力する毛髪長さ入力手段１３，１４と、カールＫの径を計測して出力するカール径計測手段１６，１７と、入力された毛髪の長さＬと計測されたカールＫの径からカールＫの巻数Ｎを算出する算出手段２０と、計測されたカールＫの径及び算出手段２０により算出されたカールＫの巻数Ｎを表示する表示手段１２とを備える。さらに、入力された毛髪の長さＬを表示する表示手段２０を備える。また、カールＫの幅寸法Ｗと高さ寸法Ｈを計測するカール計測手段１６，１７と、計測されたカールの幅寸法Ｗと高さ寸法Ｈの比を算出する算出手段２０と、算出手段２０により算出されたカールＫの幅寸法Ｗと高さ寸法Ｈの比Ｈ／ｗを表示する表示手段２０とを備える。【選択図】図１
2010200984.tif 000002
【特許請求の範囲】
【請求項１】
パーマネント施術により形成したカールを計測するカール計測用テスターであって、
毛髪の長さを入力する毛髪長さ入力手段と、
カールの径を計測して出力するカール径計測手段と、
入力された毛髪の長さと計測されたカールの径からカールの巻数を算出する算出手段と、計測されたカールの径及び算出手段により算出されたカールの巻数を表示する表示手段とを備えたことを特徴とするカール計測用テスター。
【請求項２】
入力された毛髪の長さを表示する表示手段を備えたことを特徴とする請求項１に記載のカール計測用テスター。
【請求項３】
パーマネント施術により形成したカールを計測するカール計測用テスターであって、
カールの幅寸法と高さ寸法を計測するカール計測手段と、
計測されたカールの幅寸法と高さ寸法の比を算出する算出手段と、
算出手段により算出されたカールの幅寸法と高さ寸法の比を表示する表示手段とを備えたことを特徴とするカール計測用テスター。 
【発明の詳細な説明】
【技術分野】
【０００１】
本発明は、毛髪へのパーマネントの施術により形成されたカールのかかり具合を計測するカール計測用テスターに関する。
【背景技術】
【０００２】
一般に毛髪へのパーマネントの施術は、以下のようにして行われる。まず、ロッドに毛髪を巻き付け、この毛髪に第１パーマネント液を塗布し、所定時間経過後に第２パーマネント液を塗布し、温風を毛髪に送ってパーマネント液の反応を促進させながら毛髪を乾燥させた後、ロッドを取り外して毛髪からパーマネント液を洗い流している。
【先行技術文献】
【特許文献】
【０００３】
【特許文献１】特開２００６−２３０５３８号公報
【特許文献２】特開２００２−２７２５２９号公報
【特許文献３】特開平１０−２５７９１６号公報
【発明の概要】
【発明が解決しようとする課題】
【０００４】
このように施術されたパーマネント施術によるカールについて、そのかかり具合が適切か否かの判断は、専ら施術者がその経験に基づいて判断し、その判断結果も「かかり過ぎ」、「カール不足」、「カール適正」といった曖昧な言葉で表現されている。
【０００５】
そのため、施術者の経験の相違によってカールのかかり具合の判断が異なる。また、後任の施術者へ顧客ごとに異なるカールのかけ具合を指示するにも、かけ具合を適切に表現する言葉がなく、正確な指示を出すことができない。
【０００６】
本発明はかかる問題点に鑑み、パーマネント施術によるカールのかかり具合若しくはかけ具合すなわち、かかり強度を計測し、数字で客観的に表示することのできるカール計測用テスターを提供することを目的とする。
【課題を解決するための手段】
【０００７】
請求項１に記載の発明は、パーマネント施術により形成したカールを計測するカール計測用テスターであって、  毛髪の長さを入力する毛髪長さ入力手段と、カールの径を計測して出力するカール径計測手段と、入力された毛髪の長さと計測されたカールの径からカールの巻数を算出する算出手段と、計測されたカールの径及び算出手段により算出されたカールの巻数を表示する表示手段とを備えたことを特徴とする。
【０００８】
請求項２に記載の発明は、請求項１に記載のテスターにおいて、入力された毛髪の長さを表示する表示手段を備えたことを特徴とする。
【０００９】
請求項３に記載の発明は、パーマネント施術により形成したカールを計測するカール計測用テスターであって、カールの幅寸法と高さ寸法を計測するカール計測手段と、計測されたカールの幅寸法と高さ寸法の比を算出する算出手段と、算出手段により算出されたカールの幅寸法と高さ寸法の比を表示する表示手段とを備えたことを特徴とする。
【発明の効果】
【００１０】
請求項１に係るテスターによれば、パーマネント施術により形成されたカールの径とカールの巻数を読み取ることができ、カールのかかり具合をカールの径を表す数字とカールの巻数を表す数字で確認できる。
【００１１】
このテスターでカールのかかり具合を確認するには、例えば、まず毛髪に第１パーマネント液を塗布してロッドに巻回する。そして、一定時間経過後サンプルとして１本のロッドを取り外し、ロッドを取り外したカールについて、その毛髪の長さをテスターにインプットするとともに、テスターでカールの径を計測する。カールテスターの表示部にはカール径の計測寸法と、計測寸法に基づいて算出されたカール巻数が表示される。そこで、カール径とカール巻数からカールのかかり具合を判断する。カール径が大きく、カール巻数が少ないほどカールのかかり具合は弱く、逆にカール径が小さく、カール巻数が大きいほどカールのかかり具合が強くなる。
カールのかかり具合が適正と判断された場合、第２パーマネント液を塗布してカールの形状寸法を固定する。
一方、カールのかかり具合が弱い場合、さらに時間をおいて第１パーマネント液の反応を進行させるか、若しくは第１パーマネント液を追加塗布してカールのかかり具合を強くする。
【００１２】
本発明によれば、パーマネント施術により形成されるカールのかかり具合をカール径とカール巻数という具体的な数字で確認できるので、施術者の経験の相違に拘わらずカールのかかり具合を正確に判断できる。また、後任の施術者へ顧客ごとに異なるカールのかけ具合を指示する場合、かけ具合を数字で正確に指示できる。
【００１３】
請求項２に記載の発明に係るテスターよれば、テスターの表示部にカール径とカール巻数に加えて顧客の毛髪の長さを表示できるので、顧客ごとに異なるカールのかかり具合もしくはかけ具合をより一層数字で正確に確認できる。
【００１４】
請求項３に記載の発明に係るテスターによれば、カールの幅寸法と高さ寸法の比を読み取ることができる。
ところで、パーマネント施術によりカールをかけたときのカール形成の進行状況を、図６に模式的に示す。毛髪の束ａの毛先側ｂはカールがかかり易く、根元側ｃはかかり難いので、施術した後、毛先側ｂが早く丸くなり、遅れて根元側ｃが丸くなる。そのため、カールのかかり初めは毛髪の束ａの毛先側ｂが根元側ｃから伸び上がり、カールの高さ寸法Ｈが大きいが、時間の経過とともにカールがかかってくると、毛先側ｂが丸くなって根元側ｃへ近づくので、カールの高さ寸法Ｈと幅寸法Ｗが減少する。カールの幅寸法Ｗと高さ寸法Ｈの比が１に近いほどカールが真円に近似してくる。
本発明に係るテスターによってカールの幅寸法Ｗと高さ寸法Ｈの比すなわちカールの真円の近似程度を読み取ることによってカールのかかり具合を数字で確認できる。
【図面の簡単な説明】
【００１５】
【図１】本発明の実施例に係るテスターを示す正面図である。
【図２】同テスターの機能的構成を示すブロック図である。
【図３】同テスターの使用方法及び作動を示すフローチャートである。
【図４】同テスターによるカール幅の計測を示す説明図である。
【図５】同テスターによるカール高さの計測を示す説明図である。
【図６】パーマネント施術によりカールをかけたときのカール形成の進行状況を模式的に示した説明図である。
【実施例】
【００１６】
以下に本発明の実施例を図面に基づき説明する。図１には本発明の一実施例に係るテスター１０が示されている。当該テスター１０は電源スイッチ１１、液晶表示パネル１２、毛髪長さ入力ボタン１３，１４、カール径計測切換スイッチ１５、フロント及びリアの２本のスケール１６，１７から成るスライドスケール１８及びスライドボタン１９を備えている。
【００１７】
液晶表示パネル１２には毛髪長さＬ（センチメートル）、カール幅Ｗ（センチメートル）、カール高さＨ（センチメートル）、カール巻数Ｎ（回）及びカール幅Ｗとカール高さＨの比Ｈ／Ｗを表示できるように構成されている。
【００１８】
毛髪長さ入力ボタン１３，１４はプラスボタン１３とマイナスボタン１４から成り、ボタン押圧操作でそれぞれ１センチメートル単位で毛髪長さが後述する算出手段に入力できる。
【００１９】
カール径計測切換スイッチ１５には指標Ｗと指標Ｈが併記されている。このカール径計測切換スイッチ１５は、カールの幅Ｗを計測するとき指標Ｗに設定し、カールの高さＨを計測するときには指標Ｈに設定する。
【００２０】
フロントスケール１６はテスター１０の前端部に固定されている。リアスケール１７はスライドボタン１８に連動して前後に変位し、カール径計測切換スイッチに連動して両スケール１６，１７の内端面の間隔若しくはフロントスケールの外端面とリヤスケールの内端面の間隔が後述する算出手段にインプットされる。
【００２１】
図２に、テスター１０の機能的構成を示す。テスター１０はＣＰＵから成る算出手段２０を備え、電源スイッチ１１、カール径計測切換スイッチ１５、毛髪長さ入力ボタン１３，１４及びスライドスケール１８から出力された信号がインプットされる。そして、これらの信号に基づいて表示パネル１２に各種計測値が表示される。
【００２２】
本実施例に係るテスター１０の構造は以上の通りであって、以下にその使用方法及び作動を図３に示すフローチャートに従って説明する。
まず毛髪に第１パーマネント液を塗布してロッドに巻回し、一定時間経過した毛髪について、サンプルとして１本のロッドを取り外し、ロッドを取り外したカールについて、以下の手順で計測する。
【００２３】
電源スイッチを入れる（ステップ１）とＣＰＵに附属するメモリーに記憶されている計測データがクリアされる（ステップ２）。そこで、被施術者の毛髪の長さを巻き尺等で計測し、その値を毛髪長さ入力ボタン１３，１４を押圧操作して計測手段２０にインプットする。毛髪長さが１０センチメートルであれば、リセットにより表示パネルの毛髪長さＬは０の数字が表示されているので、プラスボタン１３を押圧して（ステップ３）、毛髪長さＬの表示を１０に設定する（ステップ４）。誤って１０を越えてしまった場合にはマイナスボタン１４を押して修正する。インプットした毛髪長さＬは算出手段２０のメモリーに記憶される（ステップ５）。
【００２４】
次に、カール径計測切換スイッチ１５を指標Ｗ側に設定し（ステップ６）、スライドボタン１９でリヤスケール１７を動かし、図４に示すようにフロントスケール１６とリヤスケール１７でカールＫを挟んでカール幅Ｗを計測する（ステップ７）。例えばカール幅Ｗが２．５センチメートルの場合、この数値が算出手段２０にインプットされ、表示パネル１２のカール幅Ｗが２．５と表示される（ステップ８）とともに、算出手段２０のメモリーに記憶される（ステップ９）。
【００２５】
続いて、計測したカール幅ＷをカールＫの直径とみなしてそのカールＫの円周が算出され、その円周と毛髪長さＬからカールＫの巻数Ｎが算出される（ステップ１０）。例えば、カール幅Ｗが２．５センチメートルの場合、カールＫの円周は７．８５センチメートル（２．５×３．１４）になる。そして、カールＫの円周と毛髪長さＬからカールの巻数Ｎ＝１．２７（１０÷７．８５）が算出される。そして、表示パネルのＮに１．２と表示される（ステップ１１）。この場合算出されたカールＫの巻数Ｎは小数点以下は一桁だけ表示される。
【００２６】
次に、カール径計測切換スイッチ１５を指標Ｈ側へ切り替え（ステップ１２）、図５に示すようにフロントスケール１６を頭皮表面Ｔに当て，リヤスケール１７をカールＫの頂点に当てて、カールＫの高さＨを計測する（ステップ１３）。そして、記憶されたカールＫの幅Ｗと計測したカールＫの高さＨに基づき、その比Ｈ／Ｗを算出し（ステップ１４）、表示パネルのＨ／Ｗに表示する。カール幅Ｗが２．５センチメートルで、カール高さＨが３センチメートルの場合、Ｈ／Ｗ＝１．２と表示される。
【００２７】
以上説明したように、本実施例に係るテスター１０によれば、表示部１２にカール幅Ｗの計測寸法と、計測寸法に基づいて算出されたカール巻数Ｎが表示されので、これらの計測値からカールＫのかかり具合が判断できる。すなわち、カール幅Ｗが大きく、カール巻数Ｎが少なければカールＫのかかり具合は弱く、逆にカール幅Ｗが小さく、カール巻数Ｎが大きいほどカールＫのかかり具合が強い。そこで、カールＫのかかり具合が適正と判断された場合、第２パーマネント液を塗布してカールＫの形状寸法を固定する。一方、カールＫのかかり具合が弱い場合、さらに時間をおいて第１パーマネント液の反応を進行させるか、若しくは第１パーマネント液を追加塗布してカールＫのかかり具合を強くする。
【００２８】
また、本実施例に係る係るテスター１０によれば、カールの幅寸法Ｗと高さ寸法Ｈの比Ｈ／Ｗを読み取ってカールＫのかかり具合を数字で確認できる。
【符号の説明】
【００２９】
１０…カール計測用テスター
１１…電源スイッチ
１２…液晶表示パネル
１３，１３…毛髪長さ入力ボタン
１５…カール径計測切換スイッチ
１６…フロントスケール
１７…リヤスケール
１８…スライドスケール
１９…スライドボタン
【図１】
2010200984.tif 000003
【図２】
2010200984.tif 000004
【図３】
2010200984.tif 000005
【図４】
2010200984.tif 000006
【図５】
2010200984.tif 000007
【図６】
2010200984.tif 000008